(57)【要約】【課題】電話会議開始時の作業負担を軽減でき、電話会議のための時間を有効活用する。【解決手段】電話制御装置１０において、電話端末１９やＰＣ端末１０Ｐなどの通信端末から、電話端末１９のいずれかを用いた電話会議の予約のための会議予約情報１７Ｂを取得して記憶部１７へ保存し、会議予約情報１７Ｂで指定された会議開催日時の到来に応じて、当該会議予約情報１７Ｂで指定された会議場所の電話端末１９Ｘを内線呼出するとともに、当該会議予約情報１７Ｂで指定された会議相手の電話端末３０へ発信し、両者の通話路を会議トランク１２Ａへ接続する。【選択図】  図１
2010087697.tif 000002
【特許請求の範囲】
【請求項１】
収容している電話端末による内線通話および電話網を介した外線通話を制御する電話制御装置であって、
前記電話端末または当該電話制御装置に外部接続された通信端末から、前記電話端末のいずれかを用いた電話会議の予約のための会議予約情報を取得して記憶部へ保存する電話会議予約受付部と、
前記会議予約情報で指定された会議開催日時の到来に応じて、当該会議予約情報で指定された会議場所の電話端末を内線呼出するとともに、当該会議予約情報で指定された会議相手へ発信し、両者の通話路を会議トランクへ接続する電話会議形成部と
を備えることを特徴とする電話制御装置。
【請求項２】
請求項１に記載の電話制御装置において、
前記電話会議形成部は、前記会議場所の電話端末を内線呼出して、当該電話端末の通話路を前記会議トランクへ接続完了した後、当該会議予約情報で指定された会議相手へ発信することを特徴とする電話制御装置。
【請求項３】
請求項１に記載の電話制御装置において、
前記電話会議形成部は、前記会議場所の電話端末を内線呼出した際に、当該電話端末が通話中であった場合、当該通話を切断した後、当該電話端末の通話路を前記会議トランクへ接続することを特徴とする電話制御装置。
【請求項４】
収容している電話端末による内線通話および電話網を介した外線通話を制御する電話制御装置で用いられる電話会議制御方法であって、
前記電話端末または当該電話制御装置に外部接続された通信端末から、前記電話端末のいずれかを用いた電話会議の予約のための会議予約情報を取得して記憶部へ保存する電話会議予約受付ステップと、
前記会議予約情報で指定された会議開催日時の到来に応じて、当該会議予約情報で指定された会議場所の電話端末を内線呼出するとともに、当該会議予約情報で指定された会議相手へ発信し、両者の通話路を会議トランクへ接続する電話会議形成ステップと
を備えることを特徴とする電話会議制御方法。
【発明の詳細な説明】
【技術分野】
【０００１】
本発明は、電話技術に関し、特に電話回線を介して結ばれた複数の電話装置間で電話会議を行うための技術に関する。
【背景技術】
【０００２】
一般に、電話回線を介して結ばれた複数の電話装置間で電話会議を行う際、まず、電話会議を開催日時や参加者を電子メールで予め通知しておき、電話会議の開催時には、参加者が電話会議用の電話装置が設置されている会議室に集まって、他の拠点の会議相手の電話装置と電話回線を接続して、電話会議を開始するものとなっている。
【０００３】
このような電話会議では、ボタン電話装置の主装置やＰＢＸなどの電話制御装置において、電話会議の予約を受け付け、電話会議の開示時刻から一定時間前に、予約内容で設定された参加者の電話端末を呼び出して、音声ガイダンスを送出することにより、電話会議の開催を告知する技術が提案されている（例えば、特許文献１等参照）。
【０００４】
【特許文献１】特開平４−３３２２４３号公報
【発明の開示】
【発明が解決しようとする課題】
【０００５】
しかしながら、このような従来技術では、電話会議の開催時から一定時間前に参加者を会議室へ招集できるものの、実際に電話会議を開始する場合には、参加者が会議相手の電話番号を電話装置で操作入力して、会議相手の電話装置との間で電話回線を接続する必要がある。このため、電話会議開始時の作業が煩わしく、また電話会議のための時間がこれら作業に費やされてしまうという問題点があった。
本発明はこのような課題を解決するためのものであり、電話会議開始時の作業負担を軽減でき、電話会議のための時間を有効活用できる電話制御装置および電話会議制御方法を提供することを目的としている。
【課題を解決するための手段】
【０００６】
このような目的を達成するために、本発明にかかる電話制御装置は、収容している電話端末による内線通話および電話網を介した外線通話を制御する電話制御装置であって、電話端末または当該電話制御装置に外部接続された通信端末から、電話端末のいずれかを用いた電話会議の予約のための会議予約情報を取得して記憶部へ保存する電話会議予約受付部と、会議予約情報で指定された会議開催日時の到来に応じて、当該会議予約情報で指定された会議場所の電話端末を内線呼出するとともに、当該会議予約情報で指定された会議相手へ発信し、両者の通話路を会議トランクへ接続する電話会議形成部とを備えている。
【０００７】
この際、電話会議形成部で、会議場所の電話端末を内線呼出して、当該電話端末の通話路を会議トランクへ接続完了した後、当該会議予約情報で指定された会議相手へ発信するようにしてもよい。
【０００８】
また、電話会議形成部で、会議場所の電話端末を内線呼出した際に、当該電話端末が通話中であった場合、当該通話を切断した後、当該電話端末の通話路を会議トランクへ接続するようにしてもよい。
【０００９】
また、本発明にかかる電話会議制御方法は、収容している電話端末による内線通話および電話網を介した外線通話を制御する電話制御装置で用いられる電話会議制御方法であって、電話端末または当該電話制御装置に外部接続された通信端末から、電話端末のいずれかを用いた電話会議の予約のための会議予約情報を取得して記憶部へ保存する電話会議予約受付ステップと、会議予約情報で指定された会議開催日時の到来に応じて、当該会議予約情報で指定された会議場所の電話端末を内線呼出するとともに、当該会議予約情報で指定された会議相手へ発信し、両者の通話路を会議トランクへ接続する電話会議形成ステップとを備えている。
【発明の効果】
【００１０】
本発明によれば、会議開催日時の到来に応じて、電話会議通話を自動形成することができる。これにより、電話会議開始時の作業負担を軽減でき、電話会議のための時間を有効活用できる。
【発明を実施するための最良の形態】
【００１１】
次に、本発明の実施の形態について図面を参照して説明する。
［一実施の形態の構成］
まず、図１を参照して、本発明の一実施の形態にかかる電話制御装置について説明する。図１は、本発明の一実施の形態にかかる電話制御装置を含む電話会議システムを示すブロック図である。
【００１２】
この電話制御装置１０は、ボタン電話装置の主装置、ＰＢＸ、あるいはＩＰ電話サーバなどの制御装置からなり、公衆電話網（ＰＳＴＮ）、ＩＳＤＮ、ＩＰ電話網などからなる電話網５０に接続して、内線収容する電話端末１９（１９Ａ，１９Ｂ，…，１９Ｘ，１９Ｙ）による電話網５０を介した通話を制御する機能を有している。
電話端末１９Ａ，１９Ｂ，…，１９Ｘは、内線伝送路を介して電話制御装置１０に内線収容されている電話端末である。電話端末１９Ｙは、無線回線を介して接続される基地局装置１０Ｗを経由して電話制御装置１０に内線収容されている無線電話端末である。
【００１３】
ＰＣ端末１０Ｐは、電話端末１９の利用者が利用するパーソナルコンピュータなどの情報処理端末からなり、有線または無線のデータ通信網からなるＬＡＮ１０Ｌを介して電話制御装置１０へアクセスして、電話端末１９のいずれかを用いた電話会議の予約を行う機能を有している。
【００１４】
電話制御装置２０は、ボタン電話装置の主装置、ＰＢＸ、あるいはＩＰ電話サーバなどの制御装置からなり、電話網５０に接続して、内線収容する電話端末２９（２９Ａ，２９Ｂ，…，２９Ｘ）による電話網５０を介した通話を制御する機能を有している。
電話端末２９Ａ，２９Ｂ，…，２９Ｘは、内線伝送路を介して電話制御装置２０に内線収容されている電話端末である。
電話端末３０は、単独電話機、留守番電話機、コードレス電話機などの一般的な電話装置からなり、電話網５０に接続して通話を行う機能を有している。
【００１５】
本実施の形態は、電話制御装置１０において、電話端末１９やＰＣ端末１０Ｐなどの通信端末から、電話端末１９のいずれかを用いた電話会議の予約のための会議予約情報を取得して記憶部へ保存し、会議予約情報で指定された会議開催日時の到来に応じて、当該会議予約情報で指定された会議場所の電話端末を内線呼出するとともに、当該会議予約情報で指定された会議相手へ発信し、両者の通話路を会議トランクへ接続するようにしたものである。
【００１６】
図２は、本発明の一実施の形態にかかる電話制御装置の構成を示すブロック図である。
図２に示すように、電話制御装置１０には、主な機能部として、回線インターフェース部（以下、回線Ｉ／Ｆ部という）１１、スイッチ部１２、会議トランク１２Ａ、端末インターフェース部（以下、端末Ｉ／Ｆ部という）１３、基地局インターフェース部（以下、基地局Ｉ／Ｆ部という）１４、通信インターフェース部（以下、通信Ｉ／Ｆ部という）１５、計時部１６、記憶部１７、および制御部１８が設けられている。
【００１７】
回線Ｉ／Ｆ部１１は、専用の通信回路からなり、制御部１８からの指示に基づいて電話網５０との間で、通話路の接続制御や当該通話路を用いて通話音声の送受信を行う機能を有している。
スイッチ部１２は、専用のスイッチング回路からなり、回線Ｉ／Ｆ部１１で形成した電話網５０側の通話路と端末Ｉ／Ｆ部１３で形成した電話端末１９側の通話路とを、制御部１８の制御に基づいて交換接続する機能と、これら通話路を選択して会議トランク１２Ａに共通接続することにより電話会議通話を形成する機能と、これら通話路を選択して音声処理部１２Ｂに接続することにより、音声処理部１２Ｂに予め登録されている会議開催事前告知用の音声ガイダンスを対応する電話端末１９へ送出する機能とを有している。
【００１８】
端末Ｉ／Ｆ部１３は、専用の通信回路からなり、制御部１８からの指示に基づいて電話端末１９との間で制御データをやり取りする機能と、電話端末１９との間で音声データをやり取りすることにより通話路を形成する機能とを有している。
基地局Ｉ／Ｆ部１４は、専用の通信回路からなり、制御部１８からの指示に基づいて基地局装置１０Ｗを介して電話端末１９Ｙとの間で制御データをやり取りする機能と、電話端末１９Ｙとの間で音声データをやり取りすることにより通話路を形成する機能とを有している。
【００１９】
通信Ｉ／Ｆ部１５は、専用の通信回路からなり、制御部１８からの指示に基づいてＰＣ端末１０Ｐとデータ通信を行うことにより、ＰＣ端末１０Ｐから電話会議のための会議予約情報を取得する機能を有している。
計時部１６は、日時を計時する時計ＩＣからなり、制御部１８からの指示に応じて現在時刻を制御部１８へ通知する機能を有している。
【００２０】
記憶部１７は、ハードディスクやメモリなどの記憶装置からなり、制御部１８での処理動作に用いる各種処理情報やプログラム１７Ｐを記憶する機能を有している。
プログラム１７Ｐは、制御部１８に読み出されて実行されることにより、各種処理部を実現するプログラムであり、予め外部装置や記録媒体（図示せず）から読み込まれて記憶部１７に保存される。
【００２１】
記憶部１７で記憶される主な処理情報としては、呼制御情報１７Ａおよび会議予約情報１７Ｂがある。呼制御情報１７Ａは、電話端末１９の発信、着信、通話などの電話機能に関する制御部１８での呼制御に用いる情報からなり、各電話端末１９の状態や電話網５０の回線の状態などを示す情報からなる。
【００２２】
図３は、会議予約情報の構成例である。会議予約情報１７Ｂには、「ＩＤ」、「会議場所」、「会議時間」、「招集者」、「会議相手」などの各種情報が組として登録されている。「ＩＤ」は予約した電話会議を識別するための識別情報である。「会議場所」は電話制御装置１０側の参加者が集まる会議室に設けられている電話端末１９の内線電話番号が登録されている。「会議時間」は当該電話会議の開始および終了を示す日時情報である。「招集者」は電話制御装置１０側の参加者に対して電話会議の事前告知を行う際に用いる内線電話番号のリストである。「会議相手」は当該電話会議の会議相手として会議開始時に自動呼出する外線電話番号や内線電話番号を示すリストである。
【００２３】
制御部１８は、ＣＰＵなどのマイクロプロセッサとその周辺回路を有し、記憶部１７のプログラム１７Ｐを読み込んで実行することにより、電話制御装置１０の処理動作に必要な各種処理部を実現する機能を有している。
制御部１８で実現される主な処理部としては、呼制御部１８Ａ、電話会議予約受付部１８Ｂ、電話会議事前告知部１８Ｃ、および電話会議形成部１８Ｄがある。
【００２４】
呼制御部１８Ａは、回線Ｉ／Ｆ部１１を介して電話網５０と呼制御信号や呼制御メッセージをやり取りするとともに、端末Ｉ／Ｆ部１３を介して電話端末１９と制御メッセージをやり取りすることにより、電話端末１９の発信、着信、通話などの電話機能に関する呼制御を行う機能を有している。
【００２５】
電話会議予約受付部１８Ｂは、ＰＣ端末１０Ｐまたは電話端末１９からのアクセスに応じて、記憶部１７に予め保存されている電話会議予約画面を読み出して提供する機能と、当該電話会議予約画面に入力された会議予約情報を上記端末から取得して記憶部１７へ保存する機能とを有している。
【００２６】
図４は、電話会議予約画面の構成例である。この電子会議予約画面には、前述した図３の会議予約情報の各項目に応じた入力欄が設けられており、「予約確定」ボタンの操作に応じて、当該電話会議予約画面に入力された会議予約情報が上記端末から電話会議予約受付部１８Ｂへ送信される。ここでは、一般的なＷｅｂサービス機能を利用して、ＨＴＴＰ形式で記述された電話会議予約画面や会議予約情報が、通信Ｉ／Ｆ部１５、端末Ｉ／Ｆ部１３、あるいは基地局Ｉ／Ｆ部１４を介して、ＰＣ端末１０Ｐあるいは電話端末１９とやり取りされる。
【００２７】
電話会議事前告知部１８Ｃは、記憶部１７の会議予約情報１７Ｂに登録されている各会議の開始時間と計時部１６から取得した現在時刻とを逐次比較して、当該会議の開始時刻を起点とする当該会議の事前告知時刻が到来したか否か判定する機能と、事前告知時刻の到来に応じて会議予約情報１７Ｂのうち当該会議の「招集者」に登録されているそれぞれの内線電話番号に対して内線呼出を行う機能と、当該内線呼出への応答に応じて予め音声処理部１２Ｂに登録されている会議開催事前告知用の音声ガイダンスを、端末Ｉ／Ｆ部１３あるいは基地局Ｉ／Ｆ部１４を介して電話端末１９へ送出する機能とを有している。
【００２８】
電話会議形成部１８Ｄは、記憶部１７の会議予約情報１７Ｂに登録されている各会議の開始時間と計時部１６から取得した現在時刻とを逐次比較して、当該会議の開始時刻が到来したか否か判定する機能と、開始時刻の到来に応じて会議予約情報１７Ｂのうち当該会議の「会議相手」に登録されているそれぞれの外線／内線電話番号に対して外線／内線呼出を行う機能と、当該外線／内線呼出への応答に応じてそれぞれの応答端末を会議トランク１２Ａへ接続することにより、電話会議通話を自動形成する機能とを有している。
【００２９】
［一実施の形態の動作］
次に、本発明の一実施の形態にかかる電話制御装置の動作について説明する。ここでは、前述した図３の会議予約情報１７Ｂが電話会議予約受付部１８Ｂにより、すでに受け付けられて記憶部１７に保存されているものとし、この会議予約情報１７Ｂの内容に基づいて、電話端末１９Ａ，１９Ｂ，１９Ｙへ事前告知するとともに、電話端末１９Ｘ，１９Ｙと電話端末３０および電話端末２９Ｘとの間で電話会議を形成する場合について説明する。
【００３０】
［事前告知動作］
まず、図５を参照して、本実施の形態にかかる電話制御装置の事前告知動作について説明する。図５は、本発明の一実施の形態にかかる電話制御装置の事前告知動作を示すシーケンス図である。
【００３１】
電話制御装置１０において、制御部１８の電話会議事前告知部１８Ｃは、記憶部１７の会議予約情報１７Ｂに登録されている各会議の開始時間と計時部１６から取得した現在時刻とを逐次比較して、当該会議の開始時刻の一定時間前である事前告知時刻が到来したか否か判定する。この際、会議の開始時刻と事前告知時刻との時間差について、すべての会議に共通した値を予め記憶部１７へ設定しておいてもよく、各会議の会議予約情報１７Ｂの一部として会議ごとに任意の時間差、あるいは事前告知時刻そのものを設定入力するようにしてもよい。
【００３２】
電話会議事前告知部１８Ｃは、任意の会議について事前告知時刻の到来が検出された場合（ステップ１００）、当該会議の会議予約情報１７Ｂに登録されている項目「招集者」から、事前告知先となる内線電話番号のリストを取得し、これら内線電話番号に対応する個々の電話端末１９へ内線呼出を行う。この際、図３の会議予約情報の例では、「内線１１０１」の電話端末１９Ａと「内線１１０２」の電話端末１９Ｂについて、端末Ｉ／Ｆ部１３を介して、呼制御部１８Ａから内線呼出メッセージが送信される。また、「内線１３０１」の電話端末１９Ｙについては、基地局Ｉ／Ｆ部１４および基地局装置１０Ｗを介して、呼制御部１８Ａから内線呼出メッセージが送信される（ステップ１０１）。
【００３３】
電話端末１９Ａ，１９Ｂ，１９Ｙは、それぞれの内線呼出メッセージを受信して内線着信表示を行い、利用者の応答操作に応じて応答メッセージをそれぞれ個別に返送する（ステップ１０２）。
電話会議事前告知部１８Ｃは、これら電話端末１９Ａ，１９Ｂ，１９Ｙについて、応答メッセージを呼制御部１８Ａでそれぞれ受信した場合、スイッチ部１２を制御してこれら電話端末１９Ａ，１９Ｂ，１９Ｙの内線通話路を音声処理部１２Ｂへ接続することにより、音声処理部１２Ｂに予め登録されている会議開催事前告知用の音声ガイダンスを送出する（ステップ１０３）。
【００３４】
これにより、内線応答した電話端末１９Ａ，１９Ｂ，１９Ｙに対して、電話制御装置１０からそれぞれ個別に、音声ガイダンスにより電話会議の事前告知が行われる。音声ガイダンスでは、電話会議の開催日時や開催場所となる会議室などが通知される、音声ガイダンスを聞いた招集者は、電話会議の開催時刻までに開催場所となる第１会議室へ集合することになる。
その後、電話端末１９Ａ，１９Ｂ，１９Ｙでの終話操作に応じて、これら電話端末１９Ａ，１９Ｂ，１９Ｙから切断メッセージが送信される（ステップ１０４）。電話会議事前告知部１８Ｃは、これら電話端末１９Ａ，１９Ｂ，１９Ｙからの切断メッセージを呼制御部１８Ａで受信し、スイッチ部１２を制御してこれら電話端末１９Ａ，１９Ｂ，１９Ｙの内線通話路を音声処理部１２Ｂから切断し、一連の事前告知動作を終了する。
【００３５】
なお、ステップ１０１において、電話端末１９Ａ，１９Ｂ，１９Ｙを内線呼出する際、呼出先の電話端末が通話中の場合、当該電話端末において、内線呼出に対して着信拒否メッセージを返送して内線着信表示を行わないようにしてもよい。これにより、当該電話端末１９で行われている通話を優先することが可能となる。
【００３６】
また、呼制御部１８Ａにおいて、ステップ１０１の内線呼出メッセージに対して電話端末１９から着信拒否メッセージを受信した場合、当該着信拒否メッセージから例えば１分後などの所定時間経過後に、再度、内線呼出メッセージを送信するようにしてもよい。これにより、通話中の電話端末１９に対しても電話会議の事前告知を行うことが可能となる。また、内線呼出メッセージの再送を、例えば電話会議の開催時刻などの指定の時刻までリトライするようにしてもよい。
【００３７】
［電話会議形成動作］
次に、図６を参照して、本実施の形態にかかる電話制御装置の電話会議形成動作について説明する。図６は、本発明の一実施の形態にかかる電話制御装置の電話会議形成動作を示すシーケンス図である。
【００３８】
電話制御装置１０において、制御部１８の電話会議形成部１８Ｄは、記憶部１７の会議予約情報１７Ｂに登録されている各会議の開始時間と計時部１６から取得した現在時刻とを逐次比較して、当該会議の開始時刻が到来したか否か判定する。
【００３９】
電話会議形成部１８Ｄは、任意の会議について会議開始時刻の到来が検出された場合（ステップ１１０）、当該会議の会議予約情報１７Ｂに登録されている項目「会議場所」から、会議を開催する会議室の内線電話番号を取得し、この内線電話番号に対応する電話端末１９へ内線呼出を行う（ステップ１１１）。
図３の会議予約情報の例では、会議場所である「内線１２０１」の電話端末１９Ｘについて、端末Ｉ／Ｆ部１３を介して、呼制御部１８Ａから内線呼出メッセージが送信される。
【００４０】
電話端末１９Ｘは、内線呼出メッセージを受信して内線着信表示を行い、すでに会議場所に集合している招集者の応答操作に応じて、応答メッセージを返送する（ステップ１１２）。
電話会議形成部１８Ｄは、電話端末１９Ｘからの応答メッセージを呼制御部１８Ａで受信し、スイッチ部１２を制御して、電話端末１９Ｘの内線通話路を会議トランク１２Ａに接続する（ステップ１１３）。
【００４１】
この際、電話端末１９Ｘがスピーカ受話機能を有している場合、内線呼出メッセージで当該スピーカ受話機能を指定して、当該内線呼出に自動応答させるようにしてもよい。これにより、招集者の応答操作を待つことなく、電話端末１９Ｘを内線通話状態へ強制的に移行させることが可能となる。
【００４２】
また、電話端末１９Ｘが通話中で、ステップ１１０の内線呼出メッセージに対して電話端末１９から着信拒否メッセージを受信した場合、当該着信拒否メッセージから例えば１分後などの所定時間経過後に、再度、内線呼出メッセージを送信するようにしてもよい。これにより、通話中の電話端末１９に対しても電話会議へ招致することが可能となる。
また、内線呼出メッセージの再送については、招致できるまでリトライするようにしてもよく、指定回数までに招致できなかった場合は、電話会議形成動作を中止するようにしてもよい。
【００４３】
また、電話端末１９Ｘが通話中の場合、内線呼出メッセージに応じて電話端末１９Ｘが、警告音を電話端末１９Ｘのレシーバやスピーカから送出して通話者に通話切断を警告した後、当該通話を強制切断して、内線通話状態へ強制的に移行させるようにしてもよい。これにより、電話端末１９Ｘが通話中であっても、電話会議の開始時刻の到来に応じて、予定通りに電話会議を開始することが可能となる。
【００４４】
このようにして、電話会議に対する電話端末１９Ｘの招致が完了した後、電話会議形成部１８Ｄは、当該会議の会議予約情報１７Ｂに登録されている項目「会議相手」から、会議を行う会議相手の外線／内線電話番号のリストを取得し、これら外線／内線電話番号に対応する電話端末へ外線／内線呼出を行う。
【００４５】
図３の会議予約情報の例では、会議相手である「内線１３０１」の電話端末３０については、基地局Ｉ／Ｆ部１４を介して、呼制御部１８Ａから内線呼出メッセージが送信される（ステップ１２０）。
電話端末１９Ｙは、基地局装置１０Ｗを介して内線呼出メッセージを受信して内線着信表示を行い、利用者の応答操作に応じて応答メッセージを返送する（ステップ１２１）。
電話会議形成部１８Ｄは、電話端末１９Ｙからの応答メッセージを呼制御部１８Ａで受信し、スイッチ部１２を制御して、基地局Ｉ／Ｆ部１４を経由した電話端末１９Ｙの内線通話路を会議トランク１２Ａに接続する（ステップ１２２）。
【００４６】
また、会議相手である「内線２２０１」の電話端末２９Ｘについては、回線Ｉ／Ｆ部１１を介して、呼制御部１８Ａから装置間内線呼出メッセージが送信される（ステップ１３０）。この場合、電話制御装置１０，２０間は、電話網５０を介してシステム間接続機能で接続されており、電話制御装置１０，２０は互いの内線呼出機能を利用することが可能となっている。
電話端末２９Ｘは、電話網５０を介した装置間内線呼出メッセージを受信して内線着信表示を行い、利用者の応答操作に応じて応答メッセージを返送する（ステップ１３１）。
電話会議形成部１８Ｄは、電話端末２９Ｘからの応答メッセージを呼制御部１８Ａで受信し、スイッチ部１２を制御して、回線Ｉ／Ｆ部１１を経由した電話端末２０Ｘの内線通話路を会議トランク１２Ａに接続する（ステップ１３２）。
【００４７】
また、会議相手である「外線０１７８２０１１１１」の電話端末３０について、回線Ｉ／Ｆ部１１を介して、呼制御部１８Ａから外線呼出メッセージが送信されて外線発信が行われる（ステップ１４０）。
電話端末３０は、電話網５０から外線呼出メッセージを受信して外線着信表示を行い、利用者の応答操作に応じて応答メッセージを返送する（ステップ１４１）。
電話会議形成部１８Ｄは、電話端末３０からの応答メッセージを呼制御部１８Ａで受信し、スイッチ部１２を制御して、回線Ｉ／Ｆ部１１を経由した電話端末３０の外線通話路を会議トランク１２Ａに接続する（ステップ１４２）。
【００４８】
これにより、電話制御装置１０の電話端末１９Ｘと、電話端末１９Ｙと、電話制御装置２０の電話端末２９Ｘと、電話端末３０との各通話路が、電話制御装置１０の会議トランク１２Ａへ共通に接続されて、電話会議通話が自動形成されたことになり、これら三者による電話会議が開始される（ステップ１５０）。
【００４９】
なお、会議相手として登録された電話端末１９Ｙ，２９Ｘ，３０のいずれかが通話中で、内線／外線呼出メッセージに対して当該電話端末から着信拒否メッセージを受信した場合、当該着信拒否メッセージから例えば１分後などの所定時間経過後に、再度、内線／外線呼出メッセージを送信するようにしてもよい。これにより、通話中の電話端末に対しても電話会議へ招致することが可能となる。
また、内線／外線呼出メッセージの再送については、招致できるまでリトライするようにしてもよく、指定回数までに招致できなかった場合は、電話会議形成動作を中止するようにしてもよい。
【００５０】
また、会議相手のうち、内線収容している電話端末１９Ｙやシステム間接続可能な電話端末２９Ｘについては、当該電話端末が通話中で、内線呼出メッセージに対して当該電話端末から着信拒否メッセージを受信した場合、電話会議形成部１８Ｄからの指示に応じて、当該電話端末から警告音を当該電話端末のレシーバやスピーカから送出して通話者に通話切断を警告した後、当該通話を強制切断して、内線通話状態へ強制的に移行させるようにしてもよい。これにより、当該電話端末が通話中であっても、電話会議の開始時刻の到来に応じて、予定通りに電話会議を開始することが可能となる。
【００５１】
［一実施の形態の効果］
このように、本実施の形態では、電話制御装置１０において、電話端末１９やＰＣ端末１０Ｐなどの通信端末から、電話端末１９のいずれかを用いた電話会議の予約のための会議予約情報１７Ｂを取得して記憶部１７へ保存し、会議予約情報１７Ｂで指定された会議開催日時の到来に応じて、当該会議予約情報１７Ｂで指定された会議場所の電話端末を内線呼出するとともに、当該会議予約情報１７Ｂで指定された会議相手へ発信し、両者の通話路を会議トランクへ接続するようにしたので、会議開催日時の到来に応じて、電話会議通話を自動形成することができる。
これにより、電話会議開始時の作業負担を軽減でき、電話会議のための時間を有効活用できる。
【００５２】
また、本実施の形態では、当該会議予約情報１７Ｂで指定された会議場所の電話端末を内線呼出して、当該電話端末の通話路を会議トランクへ接続完了した後、当該会議予約情報１７Ｂで指定された会議相手へ発信するようにしてもよい。これにより、電話制御装置１０に内線収容している会議場所の電話端末を電話会議に招致して、電話会議の開催可能な状態を確認した後、会議相手を呼び出すことになる。したがって、会議場所の電話端末を電話会議に招致できず、電話会議の開催可能な状態を確認できなかった場合には、会議相手に対する無駄な呼出を回避できる。
【００５３】
また、本実施の形態では、当該会議予約情報１７Ｂで指定された会議相手のうち、当該電話制御装置１０に内線収容している電話端末に対して先に内線呼出して、当該電話端末の通話路を会議トランクへ接続完了した後、当該会議予約情報１７Ｂで指定された会議相手のうち、当該電話制御装置１０から外線発信が必要な電話端末を呼び出すようにしてもよい。これにより、電話制御装置１０に内線収容している会議相手の電話端末を電話会議に招致して、電話会議の開催可能な状態を確認した後、外線の会議相手を呼び出すことになる。したがって、内線側の電話端末を電話会議に招致できず、電話会議の開催可能な状態を確認できなかった場合には、外線の会議相手に対する無駄な呼出を回避できる。
【００５４】
なお、以上で説明した、内線収容している電話端末１９やシステム間接続している他の電話制御装置２０の電話端末２９に対する内線呼出、警告音の送出、通話切断、内線通話状態への移行、内線自動応答、スピーカ受話機能の制御等の端末制御については、各種制御用メッセージを送信することにより、電話制御装置１０から制御可能である。これら電話端末の制御については、公知技術を用いればよく、ここでの詳細な説明は省略する。
【図面の簡単な説明】
【００５５】
【図１】本発明の一実施の形態にかかる電話制御装置を含む電話会議システムを示すブロック図である。
【図２】本発明の一実施の形態にかかる電話制御装置の構成を示すブロック図である。
【図３】会議予約情報の構成例である。
【図４】電話会議予約画面の構成例である。
【図５】本発明の一実施の形態にかかる電話制御装置の事前告知動作を示すシーケンス図である。
【図６】本発明の一実施の形態にかかる電話制御装置の電話会議形成動作を示すシーケンス図である。
【符号の説明】
【００５６】
１０…電話制御装置、１０Ｌ…ＬＡＮ、１０Ｐ…ＰＣ端末、１０Ｗ…基地局装置、１１…回線Ｉ／Ｆ部、１２…スイッチ部、１２Ａ…会議トランク、１２Ｂ…音声処理部、１３…端末Ｉ／Ｆ部、１４…基地局Ｉ／Ｆ部、１５…通信Ｉ／Ｆ部、１６…計時部、１７…記憶部、１７Ａ…呼制御情報、１７Ｂ…会議予約情報、１７Ｐ…プログラム、１８…制御部、１８Ａ…呼制御部、１８Ｂ…電話会議予約受付部、１８Ｃ…電話会議事前告知部、１８Ｄ…電話会議形成部、１９Ａ，１９Ｂ…電話端末（居室）、１９Ｘ…電話端末（会議室）、１９Ｙ…電話端末（無線）、２０…電話制御装置、２９Ａ，２９Ｂ…電話端末（居室）、２９Ｘ…電話端末（会議室）、３０…電話端末（外線）、５０…電話網。
【図１】
2010087697.tif 000003
【図２】
2010087697.tif 000004
【図３】
2010087697.tif 000005
【図４】
2010087697.tif 000006
【図５】
2010087697.tif 000007
【図６】
2010087697.tif 000008